(57)【要約】【課題】  表示パネルで発生する静電気などのノイズの影響を防ぎ、且つアンテナ装置で波長の短い電波を受信できる機器モジュールを提供する。【解決手段】  制御回路素子１７および受信回路素子１８を搭載した回路基板１５と、保持部材２４に第１、第２電極板２５、２６が所定間隔で対向して設けられて受信回路素子１８の近傍に位置する箇所に取り付けられたアンテナ装置５と、回路基板１５にインターコネクタ１９によって電気的に接続された状態で支持された表示パネル１３と、回路基板１５と表示パネル１３との間に配置されて制御回路素子１７および受信回路素子１８を覆うシールド板２０とを備えた。従って、表示パネル１３の駆動によって静電気などのノイズが発生しても、シールド板２０によって制御回路素子１７、受信回路素子１８、およびアンテナ装置１５がノイズの影響を受けず、アンテナ装置５で波長の短い電波を感度良く受信できる。【選択図】        図３
2007263646.tif 000002
【特許請求の範囲】
【請求項１】
制御回路素子および受信回路素子を搭載した回路基板と、
保持部材に一対の電極板が所定間隔で対向して設けられ、且つ前記受信回路素子の近傍に位置する箇所の前記回路基板に取り付けられたアンテナ装置と、
前記回路基板の上方にインターコネクタによって電気的に接続された状態で支持された表示パネルと、
前記回路基板と前記表示パネルとの間に配置されて前記制御回路素子および前記受信回路素子を覆うシールド板と
を備えたことを特徴とする機器モジュール。
【請求項２】
前記インターコネクタは、前記制御回路素子を挟んで前記受信回路素子と反対側に配置されていることを特徴とする請求項１に記載の機器モジュール。
【請求項３】
前記シールド板には、前記インターコネクタと前記制御回路素子との間に配置される遮蔽部が設けられていることを特徴とする請求項１または２に記載の機器モジュール。
【請求項４】
前記シールド板には、前記回路基板の基準電位と電気的に接続される接続片が設けられていることを特徴とする請求項１〜３のいずれかに記載の機器モジュール。
【発明の詳細な説明】
【技術分野】
【０００１】
この発明は、電子腕時計などの携帯型の電子機器に用いられる機器モジュールに関し、更に詳しくはＧＰＳ（グローバル・ポジショニング・システム）に用いられるチップ形状のアンテナ装置を搭載した機器モジュールに関する。
【背景技術】
【０００２】
例えば、電子腕時計においては、アンテナ装置を内蔵した電波時計がある。この種の電子腕時計は、特許文献１に記載されているように、合成樹脂製の腕時計ケースの外周部にバンド取付部を外側に突出させて設け、この突出したバンド取付部に対応する腕時計ケースの内周部にアンテナ収納部を設け、このアンテナ収納部内にアンテナ装置を収納し、この状態でアンテナ装置を腕時計ケース内の回路基板にリード線などの接続線によって電気的に接続するように構成されている。
【特許文献１】特開２００２−９８７８０号
【０００３】
この場合、アンテナ装置は、バーアンテナであり、コアの外周にコイルを巻き付けた構成で、受信した電波を電気信号に変換して腕時計ケース内の時計モジュールに組み込まれた回路基板の受信回路に出力するように構成されている。また、時計モジュールは、制御用のＬＳＩ素子や受信回路素子などの各種の電子部品を搭載した回路基板と、この回路基板の上方にインターコネクタによって電気的に接続された状態で支持された表示パネルとを備え、この表示パネルをＬＳＩ素子で制御して時刻などの情報を表示するように構成されている。
【発明の開示】
【発明が解決しようとする課題】
【０００４】
しかしながら、このような従来の電子腕時計では、時計モジュールの表示パネルを駆動すると、静電気などのノイズが発生し、そのノイズによって制御用のＬＳＩ素子、受信回路素子、アンテナ装置、およびこのアンテナ装置と回路基板との接続部分が悪影響を受けやすく、正確な電波情報を得ることができないという不都合がある。特に、アンテナ装置がコアの外周にコイルを巻き付けた構成であると、波長の長い電波を受信する場合に有効であっても、波長の短い電波、例えば高周波の電波を受信することは難しく、このため人口衛星などからの波長の短い電波を受信して居場所を特定するＧＰＳ用としては不向きであるという問題がある。
【０００５】
この発明が解決しようとする課題は、表示パネルの駆動によって発生する静電気などのノイズの影響を防ぎ、且つアンテナ装置で波長の短い電波を感度良く受信することができる機器モジュールを提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図１３に示すように、制御回路素子（１７）および受信回路素子（１８）を搭載した回路基板（１５）と、保持部材（２４）に一対の電極板（第１、第２電極板２５，２６）が所定間隔で対向して設けられ、且つ前記受信回路素子の近傍に位置する箇所の前記回路基板に取り付けられたアンテナ装置（５、４１、５１、５６）と、前記回路基板の上方にインターコネクタ（１９）によって電気的に接続された状態で支持された表示パネル（１３）と、前記回路基板と前記表示パネルとの間に配置されて前記制御回路素子および前記受信回路素子を覆うシールド板（２０）とを備えたことを特徴とする機器モジュールである。
【０００８】
請求項２に記載の発明は、図１〜図１３に示すように、前記インターコネクタ（１９）が前記制御回路素子（１７）を挟んで前記受信回路素子（１８）と反対側に配置されていることを特徴とする請求項１に記載の機器モジュールである。
【０００９】
請求項３に記載の発明は、図１〜図１３に示すように、  前記シールド板（２０）には前記インターコネクタ（１９）と前記制御回路素子（１７）との間に配置される遮蔽部（２１）が設けられていることを特徴とする請求項１または２に記載の機器モジュールである。
【００１０】
請求項４に記載の発明は、図１〜図１３に示すように、  前記シールド板（２０）には前記回路基板（１５）の基準電位と電気的に接続される接続片（２２）が設けられていることを特徴とする請求項１〜３のいずれかに記載の機器モジュールである。
【発明の効果】
【００１１】
請求項１に記載の発明によれば、制御回路素子および受信回路素子が搭載され、且つこの受信回路素子の近傍に位置する箇所にアンテナ装置が取り付けられた回路基板と、この回路基板の上方にインターコネクタによって電気的に接続された状態で支持された表示パネルとを有し、この回路基板と表示パネルとの間にシールド板を制御回路素子および受信回路素子を覆って配置したので、表示パネルの駆動によって静電気などのノイズが発生しても、シールド板によって回路基板の制御回路素子、受信回路素子、アンテナ装置、およびこのアンテナ装置と回路基板との接続部分がノイズの影響を受けないようにすることができる。
【００１２】
この場合、特にアンテナ装置は、保持部材に一対の電極板が所定間隔で対向して設けられた構成であるから、一対の電極板を保持部材によって所定間隔で対向させることができると共に、ノイズの影響を受けることがないので、波長の短い電波を感度良く受信することができ、これにより人工衛星などからの電波を確実に受信することができ、居場所を特定するＧＰＳ用のアンテナとして良好に使用することができる。
【００１３】
請求項２に記載の発明によれば、インターコネクタが制御回路素子を挟んで受信回路素子と反対側に配置されているので、インターコネクタを受信回路素子およびアンテナ装置から十分に離すことができ、これにより表示パネルを駆動するときにインターコネクタに電気信号が流れることにより、インターコネクタにノイズが発生しても、受信回路素子、アンテナ装置、およびこのアンテナ装置と回路基板との接続部分がインターコネクタによるノイズの影響を受けにくくすることができる。
【００１４】
請求項３に記載の発明によれば、シールド板にはインターコネクタと制御回路素子との間に配置される遮蔽部が設けられているので、この遮蔽部によってインターコネクタと制御回路素子との間をシールドすることができ、これにより制御回路素子、受信回路素子、アンテナ装置、およびこのアンテナ装置と回路基板との接続部分がインターコネクタによるノイズの影響を受けないようにすることができる。
【００１５】
請求項４に記載の発明によれば、シールド板に回路基板の基準電位と電気的に接続される接続片が設けられていることにより、シールド板を常に基準電位に保つことができ、これにより表示パネルやインターコネクタで静電気などのノイズが発生しても、そのノイズをシールド板によって基準電位に落とすことができるので、常に安定した受信状態を確保することができる。
【発明を実施するための最良の形態】
【００１６】
（実施形態１）
以下、図１〜図９を参照して、この発明を電子腕時計に適用した実施形態１について説明する。
図１はこの発明を適用した電子腕時計の拡大正面図、図２はそのＡ−Ａ矢視における拡大断面図、図３は図２の時計モジュールの全体を示した断面図、図４は図３の時計モジュールの要部を分解して示した斜視図である。
この電子腕時計は、図１および図２に示すように、合成樹脂製の腕時計ケース１を備えている。
【００１７】
この腕時計ケース１は、１２時側と６時側との外周部にバンド取付部２がそれぞれ設けられ、このバンド取付部２に時計バンド（図示せず）が取り付けられ、この時計バンドによって腕に着脱可能に取り付けられるように構成されている。また、この腕時計ケース１の上部には、図２に示すように、時計ガラス３が取り付けられており、この腕時計ケース１の内部には、時計モジュール４が収納されている。また、この腕時計ケース１の下面には裏蓋６が防水リング６ａを介して取り付けられており、この腕時計ケース１の側面には複数のサイドスイッチＳ１が設けられていると共に、腕時計ケース１の上面における６時側および９時側にはフロントスイッチＳ２がそれぞれ設けられている。
【００１８】
この場合、腕時計ケース１は、図２に示すように、ＡＢＳ樹脂などの硬質の合成樹脂からなるケース本体７と、このケース本体７の外周面に設けられたウレタン樹脂などの軟質の合成樹脂からなる第１ベゼル８と、ケース本体７の上部外周に設けられた装飾用の第２ベゼル９とで構成されている。また、時計モジュール４は、時計機能およびＧＰＳ（グローバル・ポジショニング・システム）機能に必要な各種の電子部品を備え、時刻情報を表示するほか、受信した電波情報に基づいてＧＰＳ情報をも表示するように構成されている。
【００１９】
すなわち、時計モジュール４は、図２に示すように、上部ハウジング１０と中間ハウジング１１と下部ハウジング１２とを備え、上部ハウジング１０に表示パネル１３およびバックライトパネル１４が設けられ、中間ハウジング１１と下部ハウジング１２との間に回路基板１５が配置され、下部ハウジング１２の下面に配置された地板１６によって上部ハウジング１０と中間ハウジング１１と下部ハウジング１２とが相互に重なった状態で取り付けられ、この状態で腕時計ケース１内に組み込まれている。
【００２０】
この場合、回路基板１５は、図３に示すように、その上面にＬＳＩ素子である制御回路素子１７および受信回路素子１８が中間ハウジング１１の開口部１１ａ内に挿入された状態で設けられていると共に、この受信回路素子１８の近傍に位置する箇所の回路基板１５にその側方に突出してＧＰＳ用のアンテナ装置５が取り付けられた構成になっている。また、表示パネル１３は、液晶表示素子からなり、インターコネクタ１９によって回路基板１５の接続電極部１５ａと電気的に接続された状態で支持され、時刻などの情報を電気光学的に表示するように構成されている。
【００２１】
インターコネクタ１９は、導電部と絶縁部とを交互に配列したものであり、図３に示すように、回路基板１５上において制御回路素子１７を挟んで受信回路素子１８およびアンテナ装置５と反対側に位置する箇所に配置されている。すなわち、このインターコネクタ１９は、図３に示すように、受信回路素子１８およびアンテナ装置５と反対側に位置する箇所の中間ハウジング１１に設けられたコネクタ挿入孔１１ｂ内に上下に露出して配置され、その下端面が図４に示す回路基板１５の接続電極部１５ｃに接触し、上端面が表示パネル１３の電極端子１３ａに接触し、これにより回路基板１５と表示パネル１３とを電気的に接続している。
【００２２】
また、上部ハウジング１０と中間ハウジング１１との間、つまり回路基板１５と表示パネル１３との間には、図２および図３に示すように、シールド板２０が回路基板１５上に設けられた制御回路素子１７および受信回路素子１８を覆って設けられている。このシールド板２０には、図３および図４に示すように、インターコネクタ１９と制御回路素子１７との間に配置される遮蔽部２１が折り曲げられて一体に設けられていると共に、回路基板１５の基準電位と電気的に接続される接続片２２が切り起こしによって一体に設けられている。
【００２３】
ところで、ＧＰＳ用のアンテナ装置５は、図２に示すように、時計モジュール４の回路基板１５に取り付けられ、この状態で１２時側のバンド取付部２に対応する腕時計ケース１の内周部に設けられたアンテナ収納部２３内に収納されている。すなわち、このアンテナ装置５は、図５〜図９に示すように、ＡＢＳ樹脂などの合成樹脂製の誘電体からなるほぼ三角柱の箱状の保持部材２４と、この保持部材２４の上面に設けられた第１電極板２５と、これに対向する保持部材２４の下面に設けられた第２電極板２６とを備え、これら全体がチップ形状に形成された構成になっている。
【００２４】
この場合、保持部材２４は、図８および図９に示すように、断面形状がほぼ直角三角形で、全体がほぼ三角柱の箱状に形成され、その直角部に対向する上面が下面に対して傾斜する傾斜面に形成されている。また、この保持部材２４は、図７に示すように、その両端部がほぼ三角形状に切欠され、これにより後部（図７では下辺部）が長く、前部（同図では上辺部）が短く形成され、上方から見て全体がほぼ台形状に形成されている。
【００２５】
この保持部材２４の内部には、図８（ａ）に示すように、空洞部２７が上下に貫通して形成されていると共に、この内部における中間部には、図８（ｂ）に示すように、空洞部２７を左右に仕切る隔壁２８が空洞部２７の貫通方向に沿って設けられている。また、この保持部材２４の下面における所定箇所には、図６に示すように、第２電極板２６を溶着によって固定するための溶着ボス２９がそれぞれ設けられており、この下面における後部の右側には、図６に示すように、端子固定部３０が設けられている。
【００２６】
第１電極板２５は、アンテナ電極であり、厚みが０．２ｍｍ程度の銅などの薄い金属箔からなり、図５および図７に示すように、保持部材２４の上面とほぼ同じ大きさの台形状に形成されていると共に、スリット２５ａによって全体が渦巻形状に形成され、この状態で図５および図８に示すように第１電極部２５の前後の縁部が保持部材２４の上面にインサート成形によって埋め込まれた状態で固定されている。また、この第１電極板２５の後部側（図６では上辺側）の端部には、第１端子部３１が一体に形成されている。
【００２７】
この第１端子部３１は、アンテナ端子３１ａとグランド端子３１ｂとからなり、図５〜図７に示すように、それぞれ保持部材２４の上面から保持部材２４の後部の壁中を通して保持部材２４の下面の端子固定部３０に導かれ、この導かれたアンテナ端子３１ａとグランド端子３１ｂとの各先端部が端子固定部３０から後方（図６では上辺側）に向けて並んで延出されている。
【００２８】
第２電極板２６は、グランド電極であり、第１電極板２５と同様、厚みが０．２ｍｍ程度の銅などの薄い金属箔からなり、図６に示すように、保持部材２４の下面とほぼ同じ大きさの台形状に形成されていると共に、その所定箇所が溶着ボス２９によって保持部材２４の下面に固定されている。また、この第２電極板２６の後端部におけるほぼ中間部分は、図６に示すように、第２端子部３２が一体に形成されている。
【００２９】
この第２端子部３２は、グランド端子であり、幅広の板状に形成され、図６および図７に示すように、保持部材２４の下面における後端部（図６では上辺部）から後方に向けて延出されている。この場合、第１電極板２５の第１端子部３１と第２電極板２６の第２端子部３２とは、図５および図６に示すように、保持部材２４の下面において後方（図５では左側）に向けてそれぞれ並んで延出されている。
【００３０】
そして、このアンテナ装置５は、図２に示すように、第１、第２端子部３１、３２が所定角度θ１に折り曲げられて時計モジュール４内の回路基板１５の各接続端子１５ａ、１５ｂに電気的に接続された状態で、アンテナ収納部２３内の所定位置、つまり保持部材２４の傾斜した上面に設けられた第１電極板２５が腕時計ケース１の外面とほぼ平行になるようにアンテナ収納部２３内に浮いた状態で配置されるように構成されている。
【００３１】
この場合、第１、第２端子部３１、３２のうち、第１端子部３１のアンテナ端子３１ａとグランド端子３１ｂとは、図２および図３に示すように、ビス３３によって回路基板１５の接続端子１５ａと接続端子１５ｂとにそれぞれ固定されている。また、第２端子部３２も、ビス３３によって回路基板１５の接続端子１５ｂに取り付けられている。これにより、アンテナ装置５は、回路基板１５にその側方に突出した状態で取り付けられている。
【００３２】
また、このアンテナ装置５は、時計モジュール４を腕時計ケース１内に組み込むときに、これと同時にバンド取付部２に対応する腕時計ケース１の内周部に設けられたアンテナ収納部２３内に浮いた状態で収納されるように構成されている。この場合、アンテナ装置５の下側に位置する裏蓋６の上面には、図２に示すように、ストッパ部材３４が接着剤３４ａによって設けられている。このストッパ部材３４は、緩衝部材からなり、アンテナ装置５の下面に接近して配置され、腕時計ケース１が外部から衝撃を受けたときに、その衝撃によってアンテナ装置５が上下方向に位置ずれしないように構成されている。
【００３３】
このように、この電子腕時計の時計モジュール４によれば、制御回路素子１７および受信回路素子１８が搭載され、且つこの受信回路素子１８の近傍に位置する箇所にその側方に突出してアンテナ装置５が取り付けられた回路基板１５と、この回路基板１５の上方にインターコネクタ１９によって電気的に接続された状態で支持された表示パネル１３とを有し、この回路基板１５と表示パネル１３との間にシールド板２０を制御回路素子１７および受信回路素子１８を覆って配置したので、表示パネル１３を駆動することによって静電気などのノイズが発生しても、シールド板２０によって回路基板１５の制御回路素子１７、受信回路素子１８、アンテナ装置５、およびこのアンテナ装置５と回路基板１５との接続部分がノイズの影響を受けないようにすることができる。
【００３４】
特に、この時計モジュール４では、インターコネクタ１９が制御回路素子１７を挟んで受信回路素子１８と反対側に配置されているので、インターコネクタ１９を受信回路素子１８およびアンテナ装置５から十分に離すことができ、これにより表示パネル１３を駆動するときにインターコネクタ１９に電気信号が流れることにより、インターコネクタ１９にノイズが発生しても、このインターコネクタ１９によるノイズの影響を受信回路素子１８およびアンテナ装置５が受けにくくすることができる。
【００３５】
この場合、シールド板２０には遮蔽部２１が設けられ、この遮蔽部２１がインターコネクタ１９と制御回路素子１７との間に配置されているので、この遮蔽部２１によって受信回路素子１８およびアンテナ装置５がインターコネクタ１９によるノイズの影響を受けるのを確実に防ぐことができる。また、シールド板２０には回路基板１５の基準電位と電気的に接続される接続片２２が設けられているので、このシールド板２０を常に基準電位に保つことができ、これにより表示パネル１３やインターコネクタ１９で静電気などのノイズが発生しても、そのノイズをシールド板２０によって基準電位に落とすことができるので、常に安定した受信状態を確保することができる。
【００３６】
また、この時計モジュール４では、アンテナ装置５が、内部に空洞部２７を有する保持部材２４の上下面に、第１、第２電極板２５、２６を所定間隔で対向させて設けた構成であるから、波長の短い電波を受信することができる。特に、保持部材２４に設けられた空洞部２７によって誘電率の最も低い空気空間を第１、第２電極板２５、２６間に設けることができるので、波長の短い電波を感度良く受信することができる。これにより、アンテナ装置５がノイズの影響を受けることがなく、波長の短い電波、例えば高周波の電波を受信できるので、人工衛星などからの電波を確実に受信することができ、居場所を特定するＧＰＳ用のアンテナとして良好に使用することができる。
【００３７】
特に、この電子腕時計では、アンテナ装置５が１２時側のバンド取付部２に位置する腕時計ケース１の内周部に形成されたアンテナ収納部２３内に収納されているので、受信性能に影響を及ぼす表示パネル１３やインターコネクタ１９などの電子部品からアンテナ装置５を十分に離すことができると共に、腕時計ケース１を腕に取り付けて表示パネル１３を見るときに、アンテナ装置５を使用者の身体と反対側に位置させることができるので、アンテナ装置５が使用者の身体による影響を受けにくくすることができ、このため６時側に設けた場合に比べて、受信性能を高めることができる。
【００３８】
（実施形態２）
次に、図１０および図１１を参照して、この発明を電子腕時計に適用した実施形態２について説明する。この場合にも、図１〜図９に示された実施形態１と同一部分に同一符号を付して説明する。
この電子腕時計の時計モジュール４０は、図１０に示すように、回路基板１５上にアンテナ装置４１の第２電極板４２を設け、この第２電極板４２上にアンテナ装置４１の保持部材２４を設けた構成で、これ以外は実施形態１とほぼ同じ構成になっている。
【００３９】
すなわち、回路基板１５は、図１０に示すように、時計モジュール４０から側方に突出するアンテナ搭載部４３が設けられ、このアンテナ搭載部４３が１２時側のバンド取付部２に対応する箇所の腕時計ケース１の内周部に設けられたアンテナ収納部２３内に挿入するように構成されている。この回路基板１５のアンテナ搭載部４３の上面には、第２電極板４２が銅などの金属箔によってパターン形成されている。この第２電極板４２に対応する回路基板１５のアンテナ搭載部４３上には、保持部材２４が固定されている。
【００４０】
この保持部材２４は、実施形態１と同様に構成されており、この保持部材２４の上面には、実施形態１と同様、第１電極板２５が固定されている。この場合にも、第１電極板２５の第１端子部３１は、保持部材２４の上面における後端部（図１０では左端部）から後部（同図では右側）の外面に沿って垂下され、この垂下された先端部が実施形態１と同様に保持部材２４の下面における後方に向けて延出され、この延出した先端部が図１１に示すように回路基板１５の接続端子１５ａ、１５ｂに半田などで電気的に接続されて取り付けられている。
【００４１】
また、この時計モジュール４０も、図１０に示すように、上部ハウジング１０と中間ハウジング１１との間、つまり回路基板１５と表示パネル１３との間にシールド板２０が実施形態１と同様に回路基板１５上の制御回路素子１７および受信回路素子１８を覆って設けられている。このシールド板２０には、実施形態１と同様、インターコネクタ１９と制御回路素子１７との間に配置される遮蔽部２１が折り曲げられて一体に設けられていると共に、回路基板１５の基準電位と電気的に接続される接続片２２が切り起こしによって一体に設けられている。
【００４２】
このような電子腕時計の時計モジュール４０においても、実施形態１と同様、シールド板２０によって制御回路素子１７、受信回路素子１８、アンテナ装置４１、およびこのアンテナ装置４１と回路基板１５との接続部分が、表示パネル１３およびインターコネクタ１９で発生する静電気などのノイズの影響を受けないようにすることができると共に、アンテナ装置４１によって波長の短い電波を受信することができるので、人工衛星などからの電波を確実に受信することができ、居場所を特定するＧＰＳ用のアンテナとして良好に使用することができる。
【００４３】
この場合、アンテナ装置４１が合成樹脂製の保持部材２４の上面に第１端子部３１を有する第１電極板２５を設けると共に、回路基板１５のアンテナ搭載部４３に第２電極板４２を設け、保持部材２４の下面を回路基板１５のアンテナ搭載部４３の第２電極板４２に対応させた状態で、保持部材２４を回路基板１５のアンテナ搭載部４３に取り付けた構成であるから、実施形態１と同様、第１電極板２５と第２電極板４２とを保持部材２４によって所定間隔で対向させることができ、これにより波長の短い電波を感度よく受信することができる。
【００４４】
特に、第２電極板４２は回路基板１５のアンテナ搭載部４３に設けられているので、第２電極板４２を別部材として形成する必要がなく、回路基板１５の接続端子１５ａ、１５ｂなどの各種の接続配線をパターン形成するときに、この接続配線と同時に回路基板１５のアンテナ搭載部４３に第２電極板４２を形成することができ、これにより製造の簡素化を図ることができる。また、保持部材２４を第２電極板４２と対応する回路基板１５のアンテナ搭載部４３上に配置して第１電極板２５の第１端子部３１を回路基板１５の接続端子１５ａ、１５ｂに接触させて半田で固定するだけで、第１電極板２５と回路基板１５とを電気的に接続することができるので、その取付作業および接続作業が簡単で容易にできる。
【００４５】
（実施形態３）
次に、図１２を参照して、この発明のアンテナ装置を電子腕時計に適用した実施形態３について説明する。この場合には、図１０および図１１に示された実施形態２と同一部分に同一符号を付して説明する。
この電子腕時計の時計モジュール５０は、図１２に示すように、回路基板１５の側方に突出したアンテナ搭載部４３上にアンテナ装置５１の第２電極板４２を設け、この第２電極板４２上に保持部材２４を設けると共に、第１電極板２５の第１端子部３１を回路基板１５の下面に延出させて固定した構成で、これ以外は実施形態２とほぼ同じ構成になっている。
【００４６】
すなわち、回路基板１５のアンテナ搭載部４３には、図１２に示すように、第１端子部３１が挿入する貫通孔５２が設けられ、この貫通孔５２を通して第１端子部３１が回路基板１５の下面に延出している。また、回路基板１５のアンテナ搭載部４３の上面には、第２電極板４７が設けられており、この回路基板１５の下面には、図１１に示した実施形態２と同様、接続端子１５ａ、１５ｂが設けられている。第１電極板２５の第１端子部３１は、回路基板１５の下面に設けられた接続端子１５ａ、１５ｂに半田などで接続されている。第２電極板４７は、回路基板１５に設けられたスルーホール５３を介して回路基板１５の上面から下面に導かれてグランド用の接続端子１５ｂに接続されている。
【００４７】
また、この時計モジュール５０も、図１２に示すように、上部ハウジング１０と中間ハウジング１１との間、つまり回路基板１５と表示パネル１３との間にシールド板２０が実施形態１と同様に回路基板１５上の制御回路素子１７および受信回路素子１８を覆って設けられている。このシールド板２０には、実施形態１と同様、インターコネクタ１９と制御回路素子１７との間に配置される遮蔽部２１が折り曲げられて一体に設けられていると共に、回路基板１５の基準電位と電気的に接続される接続片２２が切り起こしによって一体に設けられている。
【００４８】
このような時計モジュール５０においても、実施形態２と同様、シールド板２０によって制御回路素子１７、受信回路素子１８、アンテナ装置５１、およびこのアンテナ装置５１と回路基板１５との接続部分が、表示パネル１３およびインターコネクタ１９で発生する静電気などのノイズの影響を受けないようにすることができると共に、アンテナ装置５１によって波長の短い電波を受信することができるので、人工衛星などからの電波を確実に受信することができ、居場所を特定するＧＰＳ用のアンテナとして良好に使用することができる。
【００４９】
この場合、アンテナ装置５１の第２電極板４２が回路基板１５のアンテナ搭載部４３の上面に設けられて回路基板１５のスルーホール５３を介して回路基板１５の下面に設けられた接続端子１５ａ、１５ｂなどの各種の接続配線と電気的に接続され、第１電極板２５の第１端子部３１が回路基板１５に設けられた貫通孔５２を通して回路基板１５の下面の接続端子１５ａ、１５ｂと電気的に接続されているので、第２電極板４７および接続端子１５ａ、１５ｂを回路基板１５の上下両面に設けることができ、これにより回路基板１５の高密度実装を図ることができる。
【００５０】
（実施形態４）
次に、図１３を参照して、この発明のアンテナ装置を電子腕時計に適用した実施形態４について説明する。この場合にも、図１０および図１１に示された実施形態２と同一部分に同一符号を付して説明する。
この電子腕時計の時計モジュール５５は、図１３に示すように、回路基板１５の側方に突出したアンテナ搭載部４３の下面にアンテナ装置５６の第２電極板５７を設け、この第２電極板５７に対応するアンテナ搭載部４３の上面に保持部材２４を設けると共に、第１電極板２５の第１端子部３１を回路基板１５の下面に延出させて固定した構成で、これ以外は実施形態２とほぼ同じ構成になっている。
【００５１】
すなわち、回路基板１５のアンテナ搭載部４３の下面には、図１３に示すように、第２電極板５７がパターン形成され、この第２電極板５７に対応する回路基板１５のアンテナ搭載部４３の上面には、保持部材２４が固定されている。この保持部材２４の上面に設けられた第１電極板２５の第１端子部３１は、実施形態２と同様、回路基板１５のアンテナ搭載部４８の貫通孔５２を通して回路基板１５の下面に図１１に示された実施形態２と同様に設けられた接続端子１５ａ、１５ｂに半田などで接続されている。
【００５２】
また、この時計モジュール５５も、図１３に示すように、上部ハウジング１０と中間ハウジング１１との間、つまり回路基板１５と表示パネル１３との間にシールド板２０が実施形態１と同様に回路基板１５上の制御回路素子１７および受信回路素子１８を覆って設けられている。このシールド板２０には、実施形態１と同様、インターコネクタ１９と制御回路素子１７との間に配置される遮蔽部２１が折り曲げられて一体に設けられていると共に、回路基板１５の基準電位と電気的に接続される接続片２２が切り起こしによって一体に設けられている。
【００５３】
このような時計モジュール５５においても、実施形態２、３と同様、シールド板２０によって制御回路素子１７、受信回路素子１８、アンテナ装置５６、およびこのアンテナ装置５６と回路基板１５との接続部分が、表示パネル１３およびインターコネクタ１９で発生する静電気などのノイズの影響を受けないようにすることができると共に、アンテナ装置５６によって波長の短い電波を受信することができるので、人工衛星などからの電波を確実に受信することができ、居場所を特定するＧＰＳ用のアンテナとして良好に使用することができる。
【００５４】
この場合、アンテナ装置５６は、第２電極板５７が回路基板１５のアンテナ搭載部４３の下面に設けられていると共に、この回路基板１５の下面に設けられたグランド用の接続端子１５ｂと電気的に接続され、第１電極板２５の第１端子部３１が回路基板１５に設けられた貫通孔５２を通して回路基板１５の下面の接続端子１５ａ、１５ｂと電気的に接続されているので、第１電極板２５と第２電極板５７とを保持部材２４と回路基板１５との両者によって所定間隔で対向させることができ、これにより保持部材２４を回路基板１５の厚みだけ薄く形成することができるので、アンテナ装置５６のコンパクト化を図ることができる。
【００５５】
なお、上記実施形態１〜４では、電子腕時計に適用した場合について述べたが、必ずしも電子腕時計である必要はなく、トラベルウオッチ、目覚まし時計、置き時計、掛け時計などの各種の時計に適用することができるほか、携帯電話機やＰＤＡ（携帯情報端末機）などの各種の電子機器にも広く適用することができる。
【図面の簡単な説明】
【００５６】
【図１】この発明を適用した電子腕時計の拡大正面図である。（実施形態１）
【図２】図１のＡ−Ａ矢視における要部の拡大断面図である。
【図３】図２の時計モジュールの全体を示した断面図である。
【図４】図３の時計モジュールを示した要部の分解斜視図である。
【図５】図２のアンテナ装置を示した拡大斜視図である。
【図６】図５のアンテナ装置を下面側から見た拡大斜視図である。
【図７】図５のアンテナ装置を示した拡大平面図である。
【図８】図７のアンテナ装置の断面を示し、（ａ）は図７のＢ−Ｂ矢視における断面図、（ｂ）は図７のＣ−Ｃ矢視における断面図である。
【図９】図７におけるアンテナ装置と回路基板との接続状態を示した拡大平面図である。
【図１０】この発明を適用した電子腕時計の時計モジュールにアンテナ装置を取り付けた状態を示した要部の拡大断面図である。（実施形態２）
【図１１】図１０におけるアンテナ装置と回路基板との接続状態を示した拡大平面図である。
【図１２】この発明を適用した電子腕時計の時計モジュールにアンテナ装置を取り付けた状態を示した要部の拡大断面図である。（実施形態３）
【図１３】この発明を適用した電子腕時計の時計モジュールにアンテナ装置を取り付けた状態を示した要部の拡大断面図である。（実施形態４）
【符号の説明】
【００５７】
１  腕時計ケース
２  バンド取付部
４、４０、５０、５５  時計モジュール
５、４１、５１、５６  アンテナ装置
１３  表示パネル
１５  回路基板
１７  制御回路素子
１８  受信回路素子
１９  インターコネクタ
２０  シールド板
２１  遮蔽部
２２  接続片
２４  保持部材
２５  第１電極板
２６、４２、５７  第２電極板
【図１】
2007263646.tif 000003
【図２】
2007263646.tif 000004
【図３】
2007263646.tif 000005
【図４】
2007263646.tif 000006
【図５】
2007263646.tif 000007
【図６】
2007263646.tif 000008
【図７】
2007263646.tif 000009
【図８】
2007263646.tif 000010
【図９】
2007263646.tif 000011
【図１０】
2007263646.tif 000012
【図１１】
2007263646.tif 000013
【図１２】
2007263646.tif 000014
【図１３】
2007263646.tif 000015